【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
スライド上でスライドの長手方向に滑動するように構成されているスライドカバーであって、
上記スライドの上に配置される本体部を備えていて、上記本体部と上記スライドとの間に反応室を形成するように構成され、
上記反応室は、該スライドカバーの滑動により流体が充填されるように構成されているスライドカバー。
【請求項２】
上記本体部が、空洞化された表面部と複数の側壁部とを備えていて、上記反応室が、上記空洞化された表面部と上記側壁部と上記スライドの表面との間に形成されている、請求項１に記載のスライドカバー。
【請求項３】
該スライドカバーが、上記スライド上で上記壁部によって支持されている、請求項２に記載のスライドカバー。
【請求項４】
上記本体部から伸びる突出部をさらに備えていて、上記突出部と上記スライドとの間に流体容器が画成され、上記流体容器が上記反応室と流体連通している、請求項２に記載のスライドカバー。
【請求項５】
上記突出部から伸び、上記流体容器内への流体の流入を促進するためのニブの形態の突起部をさらに備えている、請求項４に記載のスライドカバー。
【請求項６】
上記突出部に形成された切り欠き部をさらに備えている、請求項４に記載のスライドカバー。
【請求項７】
上記流体容器は、上記反応室に近い方の端部で上記突出部によって画成され、かつ、上記反応室と反対側の端部で開放されている、請求項４に記載のスライドカバー。
【請求項８】
請求項２に記載のスライドカバーを備えている自動化された生物反応装置。
【請求項９】
請求項１に記載のスライドカバーとスライドとの間に形成された反応室に流体を充填する方法であって、
上記スライドの表面でサンプル保持領域を露出させる過程と、
上記スライドカバーの突出部において流体受け入れゾーンに流体を分配する過程と、
上記スライドの表面に沿って上記スライドカバーを滑動させて上記サンプル保持領域を覆い、上記スライドカバーと上記スライドとの間に、流体が充填された反応室を形成する過程とを含む方法。
【請求項１０】
上記スライドカバーが、空洞化された表面部と複数の側壁部とを備えていて、
上記反応室が、上記空洞化された表面と上記側壁部と上記スライドの表面との間に形成され、
上記スライドカバーが、上記本体部の一端から伸びる突出部をさらに有し、上記突出部が上記流体受け入れゾーンを形成する、請求項９に記載の方法。
【請求項１１】
上記スライドカバーが上記本体部から伸びるロケータを備えていて、上記スライドカバーを上記ロケータと係合させることにより滑動させる、請求項１０に記載の方法。
【請求項１２】
請求項１に記載のスライドカバーとスライドとの間に形成された反応室に流体を充填する方法であって、
上記スライドカバーの本体部と上記スライドとの間に反応室を形成する過程と、
上記スライドカバーの一端に、上記反応室と流体連通する流体容器を形成する過程と、
上記流体容器に流体を分配し、上記流体を毛管流れにより上記流体容器に流入させる過程とを含む方法。
【請求項１３】
上記スライドを、水平方向に対して傾斜するように配置し、上記流体を上記反応室よりも高い位置に配置する過程をさらに含む、請求項１２に記載の方法。
【請求項１４】
上記本体部が、空洞化された表面部と複数の側壁部とを備えていて、
上記反応室が、上記空洞化された表面部と上記側壁部と上記スライドの表面との間に形成される、請求項１３に記載の方法。
【請求項１５】
上記スライドカバーが上記本体部から伸びる突出部をさらに備えていて、上記流体容器が上記突出部と上記スライドとの間に画成される、請求項１４に記載の方法。
【手続補正２】
【補正対象書類名】明細書
【補正対象項目名】００２２
【補正方法】変更
【補正の内容】
【００２２】
好ましい態様では、カバーは、該カバーが基材に対して係合させられる（engaged）とともにピボット回転させられる（pivoted）のを可能にし、これにより反応室が開かれるとともにスライドから上記流体が除去される（cleared）のを可能にする係合翼部構造（wing structure）を有している。
【手続補正３】
【補正対象書類名】明細書
【補正対象項目名】００２６
【補正方法】変更
【補正の内容】
【００２６】
好ましい態様では、カバーが、該カバーが基材に対して係合させられるとともにピボット回転させられるのを可能にし、これにより反応室が開かれるとともに基材から流体が除去されるのを可能にする係合翼部構造を有していて、上記方法は、さらに、係合翼部構造が持ち上げられてカバーを開かれた状態にピボット回転させるまで、基材に対して上記カバーを滑動させ、流体を反応室から排出する（drain）過程を含んでいる。
【手続補正４】
【補正対象書類名】明細書
【補正対象項目名】００５６
【補正方法】変更
【補正の内容】
【００５６】
実験は、空洞部１８の端部の面取り部（chamfer）は、泡が大気中に脱出する（escape）のを確実に可能にするということを示している。実在する容器１７は、図２０に示すように、デザイン変更することができる。ここでは、図１４に示すものと同様の修正されたカバー６０が、空洞部１８を通る流体の均一な流れに影響を及ぼすことなく、泡を開放するのを助勢するための面取り部６４を備えて示されている。この面取り部６４は、空洞部１８及びスライド表面に対して、約６０°をなす第１の角度付け部６２（angled section）と、第１の角度付け部６２に比べて、空洞部１８に対して小さい角度で方向付けられている第２の角度付け部１０１とで形成されている。
【手続補正５】
【補正対象書類名】明細書
【補正対象項目名】００５８
【補正方法】変更
【補正の内容】
【００５８】
この問題は、２つの角度を用いることにより克服することができる。すなわち、例えば空洞部と面取り部の間が１５°である浅い角度付け部は、蒸発を最小にし、泡の解放のための急峻な角度は、容器の体積を増加させるのに役立つ。
【手続補正６】
【補正対象書類名】図面
【補正対象項目名】図８
【補正方法】変更
【補正の内容】
【図８】
2010160505.tif 000001
【手続補正７】
【補正対象書類名】図面
【補正対象項目名】図９
【補正方法】変更
【補正の内容】
【図９】
2010160505.tif 000002
【手続補正８】
【補正対象書類名】図面
【補正対象項目名】図１０
【補正方法】変更
【補正の内容】
【図１０】
2010160505.tif 000003
【手続補正９】
【補正対象書類名】図面
【補正対象項目名】図１１
【補正方法】変更
【補正の内容】
【図１１】
2010160505.tif 000004
【手続補正１０】
【補正対象書類名】図面
【補正対象項目名】図１２
【補正方法】変更
【補正の内容】
【図１２】
2010160505.tif 000005
【手続補正１１】
【補正対象書類名】図面
【補正対象項目名】図１３
【補正方法】変更
【補正の内容】
【図１３】
2010160505.tif 000006
【手続補正１２】
【補正対象書類名】図面
【補正対象項目名】図１５
【補正方法】変更
【補正の内容】
【図１５】
2010160505.tif 000007
【手続補正１３】
【補正対象書類名】図面
【補正対象項目名】図１６
【補正方法】変更
【補正の内容】
【図１６】
2010160505.tif 000008
【手続補正１４】
【補正対象書類名】図面
【補正対象項目名】図１７
【補正方法】変更
【補正の内容】
【図１７】
2010160505.tif 000009
【手続補正１５】
【補正対象書類名】図面
【補正対象項目名】図２０
【補正方法】変更
【補正の内容】
【図２０】
2010160505.tif 000010